(57)【特許請求の範囲】
【請求項１】
車両点検の点検結果と、車両検査の検査結果との内容が記入された整備記録簿を作成するための整備記録簿作成装置であって、
前記整備記録簿を作成する事業所の管轄エリアと、前記整備記録簿について前記管轄エリア別に設定された、前記点検結果及び前記検査結果のうち少なくとも一方の出力様式との関係を示す管轄エリア別出力様式データを記憶する記憶部と、
ユーザー操作の入力を受け付けて、複数の前記管轄エリアの中から、前記整備記録簿を作成する前記事業所の管轄エリアを特定する管轄エリア特定部と、
前記管轄エリア全てにおいて共通の入力様式に従ったユーザー操作の入力を受け付けて、前記点検結果及び前記検査結果のうち少なくとも一方の内容を示す点検／検査結果データを取得するデータ取得部と、
特定された前記管轄エリアをキーとして前記管轄エリア別出力様式データを参照し、特定された前記管轄エリアの出力様式に従って、前記点検／検査結果データの内容が記入された前記整備記録簿の内容を示す整備記録簿データを出力するデータ出力部と、を備えていることを特徴とする整備記録簿作成装置。
【請求項２】
前記記憶部は、前記管轄エリア全てにおいて共通の点検／検査項目が記入された整備記録簿フォーマットの内容を示す共通フォーマットデータを記憶しており、
前記データ取得部は、前記共通フォーマットデータが示す前記共通の点検／検査項目に対してユーザー操作の入力を受け付けて、前記点検／検査結果データを取得することを特徴とする請求項１に記載の整備記録簿作成装置。
【請求項３】
前記管轄エリア別出力様式データのうち前記管轄エリア別に設定された出力様式には、前記整備記録簿のうち所定の検査項目において設定された小数点以下桁数の内容が含まれ、
前記データ出力部は、特定された前記管轄エリアの小数点以下桁数の出力様式に従って、前記所定の検査項目に対する前記検査結果が記入された前記整備記録簿データを出力することを特徴とする請求項１又は２に記載の整備記録簿作成装置。
【請求項４】
前記データ取得部は、ユーザー操作の入力を受け付けて、車検証との同一性を照合するための照合項目に対する照合結果を示す照合結果データを取得し、
前記データ出力部は、特定された前記管轄エリアの出力様式に従って、前記照合結果データの内容が記入された前記整備記録簿データを出力することを特徴とする請求項１乃至３のいずれか１項に記載の整備記録簿作成装置。
【請求項５】
前記記憶部は、前記管轄エリアと、前記整備記録簿のうち前記照合結果について前記管轄エリア別に設定された入力様式との関係を示す管轄エリア別入力様式データを記憶しており、
前記データ取得部は、前記管轄エリア別入力様式データを参照し、前記管轄エリア別に設定されたユーザー操作の入力を受け付けて、前記車両点検及び前記車両検査の少なくとも一方の際に前記照合結果データを取得することを特徴とする請求項４に記載の整備記録簿作成装置。
【請求項６】
車両点検の点検結果と、車両検査の検査結果との内容が記入された整備記録簿を作成するための整備記録簿作成装置と、該整備記録簿作成装置とネットワークを通じて接続されるデータサーバーと、を備えた整備記録簿作成システムであって、
前記データサーバーは、前記整備記録簿を作成する事業所の管轄エリアと、前記整備記録簿について前記管轄エリア別に設定された、前記点検結果及び前記検査結果のうち少なくとも一方の出力様式との関係を示す管轄エリア別出力様式データを記憶し、
前記データサーバー及び前記整備記録簿作成装置のいずれか一方は、ユーザー操作の入力を受け付けて、複数の前記管轄エリアの中から、前記整備記録簿を作成する前記事業所の管轄エリアを特定する管轄エリア特定部を備え、
前記整備記録簿作成装置は、
前記管轄エリア全てにおいて共通の入力様式に従ったユーザー操作の入力を受け付けて、前記点検結果及び前記検査結果のうち少なくとも一方の内容を示す点検／検査結果データを取得するデータ取得部と、
特定された前記管轄エリアをキーとして前記管轄エリア別出力様式データを参照し、特定された前記管轄エリアの出力様式に従って、前記点検／検査結果データの内容が記入された前記整備記録簿の内容を示す整備記録簿データを出力するデータ出力部と、を備えていることを特徴とする整備記録簿作成システム。
【請求項７】
車両点検の点検結果と、車両検査の検査結果との内容が記入された整備記録簿を作成するための整備記録簿作成方法であって、
前記整備記録簿を作成する事業所の管轄エリアと、前記整備記録簿について前記管轄エリア別に設定された、前記点検結果及び前記検査結果のうち少なくとも一方の出力様式との関係を示す管轄エリア別出力様式データを記憶する記憶部を備えたコンピュータが、
ユーザー操作の入力を受け付けて、複数の前記管轄エリアの中から、前記整備記録簿を作成する前記事業所の管轄エリアを特定する管轄エリア特定処理と、
前記管轄エリア全てにおいて共通の入力様式に従ったユーザー操作の入力を受け付けて、前記点検結果及び前記検査結果のうち少なくとも一方の内容を示す点検／検査結果データを取得するデータ取得処理と、
特定された前記管轄エリアをキーとして前記管轄エリア別出力様式データを参照し、特定された前記管轄エリアの出力様式に従って、前記点検／検査結果データの内容が記入された前記整備記録簿の内容を示す整備記録簿データを出力するデータ出力処理と、を実行することを特徴とする整備記録簿作成方法。
【請求項８】
請求項１乃至５のいずれか１項に記載の整備記録簿作成装置として、又は請求項６に記載の整備記録簿作成システムとしてコンピュータを機能させることを特徴とする整備記録簿作成プログラム。
【発明の詳細な説明】
【技術分野】
【０００１】
本発明は、整備記録簿作成装置、整備記録簿作成システム、整備記録簿作成方法及び整備記録簿作成プログラムに係り、特に、車両点検の点検結果と、車両検査の検査結果との内容が記入された整備記録簿を作成するための整備記録簿作成装置、整備記録簿作成システム、整備記録簿作成方法及び整備記録簿作成プログラムに関する。
【背景技術】
【０００２】
一般に、車両の定期的な検査を義務化することで車両の安全な運行を確保するための車検制度がある。車検は、国土交通省が定めた保安基準に基づいて外観、安全面や公害面で問題がないことを検査するものであって、例えば自動車では２年に一度、運輸局や、運輸局から認可を受けた車検整備指定工場において自動車の状態を検査する必要がある。そして検査合格した自動車に対して２年間有効な車検証が発行又は更新されている。
また、車検を受ける前には自動車の定期点検整備が行われるものであって、一般に自動車整備工場や自動車販売店（ディーラー）で実施されている。その中には、車検整備指定工場の認可を受けた整備工場や販売店があり、定期点検整備と車検を一式で実施する場所が多くなっている。
【０００３】
自動車整備工場にて定期点検整備と車検を一式で実施する場合のフローとしては、一般に受入点検（整備作業含む）、中間点検、そして完成検査を経た後、指定整備記録簿（分解整備記録簿）が発行される。指定整備記録簿の内容に基づいて整備事業者（検査員）が保安基準に適合していると認めると、保安基準適合証と保安基準適合標章が交付される。
そして、指定整備記録簿や保安基準適合証等の必要書類（車検証交付書類）を運輸局へ提出することで、新たな車検証が交付される。
なお、保安基準適合標章は、車検証交付までの間に、検査を終えた車両が公道を運行することができるように、指定期間、車検証の代わりとなるものである。
【０００４】
ところで、指定整備記録簿に記載された点検項目及び検査項目は、国土交通省が定めた法規制に基づいて、自動車整備工場の管轄エリア（各都道府県）によらず共通の内容となっているが、一方で、点検項目及び検査項目に対する点検結果及び検査結果の記入様式については、国土交通省が定めた法規制に従った上で、都道府県毎に異なった記入様式が採用されている（都道府県毎に独自の記入様式が定められている）。
そのため、整備事業者（検査員）は、都道府県毎に設定された記入様式に従って、点検結果及び検査結果を記入した指定整備記録簿を作成しなければならない。
そうした中で、検査員による指定整備記録簿作成の支援をしようとするシステムが提案されているところである（例えば、特許文献１参照）。
【０００５】
特許文献１の車両点検支援システムでは、一般に指定整備記録簿が自動車の区分（例えば、自家用乗用、自家用貨物、事業用、被牽引、二輪等）によって異なったフォーマットとなり、点検項目及び検査項目も異なってくるところ、過去の車検証記載の情報を読み取ることで、指定整備記録簿のフォーマットを自動判別することができる。
そのため、検査員が、自動車の区分で間違ったフォーマットを選択してしまい、不要な点検／検査項目については該当なしの記入を行って、最後まで気づかずに指定整備記録簿を完成させてしまうような虞がなくなる。
また、上記車両点検システムでは、管轄エリア（都道府県）毎に対応づけられた点検結果のチェック記号パターン（例えば良好の場合、Ａ県では「レ」、Ｚ県では「良」等）を記憶しており、管轄エリア毎に対応したチェック記号パターンを抽出することができる。
そのため、例えばＡ県にいる検査員が、Ａ県のチェック記号パターン（例えば良好「レ」、交換「×」、調整「Ａ」等）を表示画面上に表示させて点検結果を入力することができる。そうすることで、点検結果のみについてＡ県のチェック記号パターンにて指定整備記録簿を出力することができる。
【先行技術文献】
【特許文献】
【０００６】
【特許文献１】特開２００５−１６９４９号公報
【発明の概要】
【発明が解決しようとする課題】
【０００７】
しかしながら、特許文献１のような車両点検支援システムでは、例えば、別の管轄エリアから異動してきた整備事業者（検査員）にとって、以前とは異なったチェック記号パターンで点検結果を入力する必要が生じるため、結局は異動先のチェック記号パターンを把握しないと記載ミスが生じてしまう虞があった。
また、指定整備記録簿には車両点検の点検結果だけでなく、車両検査の検査結果も記入される必要があって、当該検査結果についても管轄エリア毎に異なった複雑な記入様式が存在する。そのため、車両検査の検査結果については、検査員が管轄エリア毎に異なった記入様式を把握して手書きする等の必要があった。
そのため、自動車整備工場の管轄エリア毎に異なった記入様式が存在する中で、検査員が不便を感じることなく、指定整備記録簿を効率良く作成することが可能なシステムが求められていた。
【０００８】
また、一般に指定整備記録簿は、車両点検の点検結果、車両検査の検査結果に加えて車両の照合結果（車検証との照合結果）の内容が記入されて完成となるところ、車両の照合結果についても管轄エリア毎に異なった記入様式が存在する。例えば、Ａ県では、指定整備記録簿のうち各照合項目に対して照合結果「レ」が１つ記入される必要がある。一方で、Ｂ県では、各照合項目に対して照合結果「レ」が２つ記入される必要がある（車両点検及び車両検査の際に照合したことを意味する）。当該照合結果の記入様式についてもミスが許されるものではなかった。
そのため、車両の照合結果についても、検査員が管轄エリア毎に異なった記入様式を把握して手書きする等の必要があった。
そこで、検査員がほぼ手書きする必要がなく、整備記録簿を作成することが可能なシステムが求められていた。
【０００９】
本発明は、上記の課題に鑑みてなされたものであり、本発明の目的は、整備記録簿を作成する事業所の管轄エリア毎に異なった記入様式が存在する中で、整備事業者（検査員）が整備記録簿を効率良く作成することが可能な整備記録簿作成装置、整備記録簿作成システム及び整備記録簿作成方法を提供することにある。
また、本発明の他の目的は、車両の点検結果、検査結果及び照合結果が記入されて完成となる整備記録簿を作成する際に、整備事業者（検査員）が手書きする必要が全くない整備記録簿作成装置、整備記録簿作成システム及び整備記録簿作成方法を提供することにある。
【課題を解決するための手段】
【００１０】
前記課題は、本発明の整備記録簿作成装置によれば、車両点検の点検結果と、車両検査の検査結果との内容が記入された整備記録簿を作成するための整備記録簿作成装置であって、前記整備記録簿を作成する事業所の管轄エリアと、前記整備記録簿について前記管轄エリア別に設定された、前記点検結果及び前記検査結果のうち少なくとも一方の出力様式との関係を示す管轄エリア別出力様式データを記憶する記憶部と、ユーザー操作の入力を受け付けて、複数の前記管轄エリアの中から、前記整備記録簿を作成する前記事業所の管轄エリアを特定する管轄エリア特定部と、前記管轄エリア全てにおいて共通の入力様式に従ったユーザー操作の入力を受け付けて、前記点検結果及び前記検査結果のうち少なくとも一方の内容を示す点検／検査結果データを取得するデータ取得部と、特定された前記管轄エリアをキーとして前記管轄エリア別出力様式データを参照し、特定された前記管轄エリアの出力様式に従って、前記点検／検査結果データの内容が記入された前記整備記録簿の内容を示す整備記録簿データを出力するデータ出力部と、を備えていること、により解決される。
【００１１】
上記構成により、整備記録簿を作成する事業所の管轄エリア毎に異なった記入様式が存在する中で、整備事業者（検査員）が不便を感じることなく、整備記録簿を効率良く作成することが可能な整備記録簿作成装置を実現することができる。
詳しく説明すると、管轄エリア全てにおいて共通の入力様式に従ったユーザー操作の入力を受け付けて、点検結果及び検査結果のうち少なくとも一方の内容を示す点検／検査結果データを取得するデータ取得部を備えているため、整備記録簿を作成するときに、検査員が管轄エリア（各都道府県）を特に意識することなく、全国共通の入力様式によって点検結果又は点検項目を入力することができる。すなわち、整備記録簿の点検項目及び検査項目については、国土交通省が定めた法規制に基づいて管轄エリアによらず共通の内容となっていることから、入力様式について管轄エリア全て共通化することで、別の管轄エリアから異動してきた検査員であっても効率良く作業することができる。
また、特定された管轄エリアの出力様式に従って、点検／検査結果データの内容が記入された整備記録簿の内容を示す整備記録簿データを出力するデータ出力部を備えているため、共通の入力様式によって点検結果、点検項目が入力された後は、特定された管轄エリアの出力様式に従って整備記録簿が作成されるため、検査員が管轄エリアを全く意識することなく、整備記録簿の作成に専念することができる。
特に、検査員は、国から委任を受けて検査を代行するみなし公務員であって、例えば、整備記録簿の出力様式にミスが発覚すれば業務停止等の処分を受ける虞があることから、本整備記録簿作成装置の有用性が大変格別なものとなる。
【００１２】
このとき、前記記憶部は、前記管轄エリア全てにおいて共通の点検／検査項目が記入された整備記録簿フォーマットの内容を示す共通フォーマットデータを記憶し、前記データ取得部は、前記共通フォーマットデータが示す前記共通の点検／検査項目に対してユーザー操作の入力を受け付けて、前記点検／検査結果データを取得すると良い。
上記構成により、整備記録簿を作成するときに、検査員が管轄エリアを特に意識することなく、共通の整備記録簿フォーマットに基づいて共通の入力様式によって点検結果又は点検項目を入力することができる。
【００１３】
このとき、前記管轄エリア別出力様式データのうち前記管轄エリア別に設定された出力様式には、前記整備記録簿のうち所定の検査項目において設定された小数点以下桁数の内容が含まれ、前記データ出力部は、特定された前記管轄エリアの小数点以下桁数の出力様式に従って、前記所定の検査項目に対する前記検査結果が記入された前記整備記録簿データを出力すると良い。
上記構成により、整備記録簿のうち所定の検査項目（例えば、制動力の左右差／軸重）に対して、設定された小数点以下桁数（例えば、Ａ県の場合「２ケタ」、Ｂ県の場合「３ケタ」、Ｃ県の場合「１ケタ」等）の出力様式に従って検査結果が記入されて整備記録簿が作成されるため、点検結果だけでなく検査結果の出力様式も反映させた、各管轄エリアにおける整備記録簿を作成することができる。
特に、検査結果の出力様式については管轄エリア別に複雑なルールが存在し、検査員が検査結果を手書きすることが通常であったことから、本発明の効果は格別なものとなる。
【００１４】
このとき、前記データ取得部は、ユーザー操作の入力を受け付けて、車検証との同一性を照合するための照合項目に対する照合結果を示す照合結果データを取得し、前記データ出力部は、特定された前記管轄エリアの出力様式に従って、前記照合結果データの内容が記入された前記整備記録簿データを出力すると良い。
上記構成により、一般に整備記録簿は、車両の点検結果、検査結果及び照合結果の全てが管轄エリアの出力様式に従って記入されて初めて完成するところ、当該整備記録簿を作成するときに、検査員が手書きする必要が全くない整備記録簿作成装置を実現できる。
【００１５】
このとき、前記データ取得部は、前記管轄エリア別に設定されたユーザー操作の入力を受け付けて、車両点検及び車両検査の少なくとも一方の際に前記照合結果データを取得すると良い。
上記構成により、整備記録簿のうち車両照合の記入については、ユーザーとなる検査員による照合確認の入力操作の負担を軽減することができる。
詳しく説明すると、整備記録簿の記入様式について、例えば「Ａ県」では、車両検査時においてのみ、照合結果「レ」が記入されるパターンであって、「Ｂ県」では、車両点検時及び車両検査時の両方において、照合結果「レ」がそれぞれ記入されるパターンであって、「Ｃ県」では、どちらの検査時においても照合結果「レ」の記入が不要であるパターンである。そうすると、「Ａ県」や「Ｃ県」では、ユーザー操作の負担を軽減できる。
なお、検査員は実務上は、国土交通省が定めた法規制に基づいて車両点検時及び車両検査時の両方において必ず照合確認（同一性確認）を実施する必要がある。
【００１６】
また、車両点検の点検結果と、車両検査の検査結果との内容が記入された整備記録簿を作成するための整備記録簿作成装置と、該整備記録簿作成装置とネットワークを通じて接続されるデータサーバーと、を備えた整備記録簿作成システムであって、前記データサーバーは、前記整備記録簿を作成する事業所の管轄エリアと、前記整備記録簿について前記管轄エリア別に設定された、前記点検結果及び前記検査結果のうち少なくとも一方の出力様式との関係を示す管轄エリア別出力様式データを記憶し、前記データサーバー及び前記整備記録簿作成装置のいずれか一方は、ユーザー操作の入力を受け付けて、複数の前記管轄エリアの中から、前記整備記録簿を作成する前記事業所の管轄エリアを特定する管轄エリア特定部を備え、前記整備記録簿作成装置は、前記管轄エリア全てにおいて共通の入力様式に従ったユーザー操作の入力を受け付けて、前記点検結果及び前記検査結果のうち少なくとも一方の内容を示す点検／検査結果データを取得するデータ取得部と、特定された前記管轄エリアをキーとして前記管轄エリア別出力様式データを参照し、特定された前記管轄エリアの出力様式に従って、前記点検／検査結果データの内容が記入された前記整備記録簿の内容を示す整備記録簿データを出力するデータ出力部と、を備えている整備記録簿作成システムも実現できる。
【００１７】
また、車両点検の点検結果と、車両検査の検査結果との内容が記入された整備記録簿を作成するための整備記録簿作成方法であって、前記整備記録簿を作成する事業所の管轄エリアと、前記整備記録簿について前記管轄エリア別に設定された、前記点検結果及び前記検査結果のうち少なくとも一方の出力様式との関係を示す管轄エリア別出力様式データを記憶する記憶部を備えたコンピュータが、ユーザー操作の入力を受け付けて、複数の前記管轄エリアの中から、前記整備記録簿を作成する前記事業所の管轄エリアを特定する管轄エリア特定処理と、前記管轄エリア全てにおいて共通の入力様式に従ったユーザー操作の入力を受け付けて、前記点検結果及び前記検査結果のうち少なくとも一方の内容を示す点検／検査結果データを取得するデータ取得処理と、特定された前記管轄エリアをキーとして前記管轄エリア別出力様式データを参照し、特定された前記管轄エリアの出力様式に従って、前記点検／検査結果データの内容が記入された前記整備記録簿の内容を示す整備記録簿データを出力するデータ出力処理と、を実行する整備記録簿作成方法も実現できる。
【００１８】
また、上記記載の整備記録簿作成装置として、又は上記記載の整備記録簿作成システムとしてコンピュータを機能させることを特徴とする整備記録簿作成プログラムも実現できる。
【発明の効果】
【００１９】
本発明の整備記録簿作成装置、整備記録簿作成システム及び整備記録簿作成方法によれば、整備記録簿を作成する事業所の管轄エリア毎に異なった記入様式が存在する中で、整備事業者（検査員）が整備記録簿を効率良く作成することができる。
また、車両の点検結果、検査結果及び照合結果が記入されて完成となる整備記録簿を作成する際に、検査員が手書きする必要が全くなくなる。
【図面の簡単な説明】
【００２０】
【図１】本実施形態の整備記録簿作成システム全体の構成図である。
【図２】整備記録簿作成装置のハード構成図である。
【図３】整備記録簿作成装置及びデータサーバーのソフト構成図である。
【図４】管轄エリア一覧データの一例を示す図である。
【図５】車検証登録データの一例を示す図である。
【図６】管轄エリア別出力様式データの一例を示す図である。
【図７Ａ】共通フォーマットデータのうち上段の点検欄の一例を示す図である。
【図７Ｂ】共通フォーマットデータのうち下段の検査欄、照合欄の一例を示す図である。
【図８】点検結果データの一例を示す図である。
【図９】検査結果データの一例を示す図である。
【図１０】照合結果データの一例を示す図である。
【図１１Ａ】整備記録簿データのうち上段の点検欄の一例を示す図である。
【図１１Ｂ】整備記録簿データのうち下段の検査欄、照合欄の一例を示す図である。
【図１２】本実施形態の整備記録簿作成方法の処理の一例を示すフロー図である。
【図１３】第２実施形態であり、管轄エリア別入力様式データの一例を示す図である。
【図１４】第２実施形態であり、照合結果データの一例を示す図である。
【図１５】第２実施形態であり、整備記録簿作成方法の処理の一例を示すフロー図である。
【発明を実施するための形態】
【００２１】
以下、本発明に係る実施形態について図１〜図１５を参照して説明する。
本実施形態は、整備記録簿を作成するための整備記録簿作成装置であって、整備記録簿を作成する事業所の管轄エリアと、整備記録簿について管轄エリア別に設定された出力様式との関係を示す管轄エリア別出力様式データを記憶する記憶部と、ユーザー操作の入力を受け付けて、複数の管轄エリアの中から指定された管轄エリアを特定する管轄エリア特定部と、管轄エリア全てにおいて共通のユーザー操作の入力を受け付けて、点検結果及び検査結果の内容を示す点検／検査結果データを取得するデータ取得部と、特定された管轄エリアをキーとして管轄エリア別出力様式データを参照し、特定された管轄エリアの出力様式に従って、点検／検査結果データの内容が記入された整備記録簿の内容を示す整備記録簿データを出力するデータ出力部と、を備えていることを特徴とする発明に関するものである。
【００２２】
本実施形態となる、指定整備記録簿を作成するための整備記録簿作成装置１を含む整備記録簿作成システムＳ全体の構成を図１に示す。
整備記録簿作成システムＳは、整備工場（事業所）において整備事業者（検査員）によって保有され、指定整備記録簿を作成するときに用いられる整備記録簿作成装置１と、整備記録簿作成装置１とネットワークを通じて接続され、指定整備記録簿を作成するための各種データを保管するデータサーバー１０と、から主に構成されている。
なお、指定整備記録簿とは、主に車両点検の点検項目と、車両検査の検査項目と、車両照合の照合項目との内容が記載されたものであって、これら項目に対する点検結果、検査結果及び照合結果が記入された後、車検証交付書類の一つとして運輸局へ提出されるものである。
また、整備工場とは、車検整備指定工場の認可を受けて、定期点検整備と車検を一式で実施可能な自動車整備工場であって、指定整備記録簿を作成する事業所である。整備工場を管轄する管轄エリアは４７都道府県に分かれている。
【００２３】
整備記録簿作成装置１は、検査員によって保有される携帯情報端末であって、車両点検又は車両検査のときに、指定整備記録簿に基づいて設定された点検項目、検査項目に対する点検結果、検査結果の入力を受け付けることができ、また、指定整備記録簿に基づいて設定された照合項目に対する照合結果の入力を受け付けることができる。そして、点検結果、検査結果及び照合結果の入力完了後、これらの結果が記入された指定整備記録簿のデータを出力することができる。
また整備記録簿作成装置１は、データサーバー１０と情報データ通信を行い、データサーバー１０に記憶されている最新のデータを一時的に読み込んで記憶しておくことができる。
【００２４】
データサーバー１０は、整備工場によって所有される専用サーバーであって、車検依頼者となる顧客から入手した車検証の記載内容を示す車検証登録データを一括管理して保管しておくための顧客管理用データサーバーとしての機能と、指定整備記録簿を作成するための各種プログラム及び各種データを一括管理して保管しておくための記録簿作成用データサーバー（マスターサーバー）としての機能と、を有している。
またデータサーバー１０は、整備工場において所有されている整備記録簿作成装置１を含む整備工場内の情報通信端末と、外部企業の情報通信端末とを効率良くネットワーク接続するための専用サーバーである。
データサーバー１０には、上述の車検証登録データが保管されているほか、後述の管轄エリア一覧データ、管轄エリア別出力様式データ、指定整備記録簿の共通フォーマットデータ、点検結果データ、検査結果データ、照合結果データ、整備記録簿データがそれぞれ保管されている。
【００２５】
なお、データサーバー１０は、顧客管理用データサーバーとしての機能と、記録簿作成用データサーバーとしての機能とを兼ね備えているが、特に限定されることなくそれぞれ別のサーバーであっても良い。
例えば、顧客管理用データサーバーが整備工場によって所有され、記録簿作成用データサーバー（マスターサーバー）が整備工場以外の外部企業（クラウドサービス事業者）によって所有されていても良い。
【００２６】
整備記録簿作成装置１のハード構成を図２に示す。
整備記録簿作成装置１は、データの演算・制御処理装置としてのＣＰＵと、記憶装置としてのＲＯＭ、ＲＡＭ、及びＨＤＤと、ホームネットワーク又はインターネットを通じて情報データの送受信を行う通信用インタフェースとを備えたコンピュータである。
また整備記録簿作成装置１は、所定の書式で表示される文字又は画像の情報を表示する表示装置と、ＣＰＵに所定の指令を入力するときユーザー入力操作される入力装置と、外付けハードディスク等の記憶媒体装置と、文字又は画像の情報を出力する印刷装置と、を備えていても良い。
なお、データサーバー１０についても同様のハード構成を備えたコンピュータである。
【００２７】
整備記録簿作成装置１のＲＯＭ、ＨＤＤ、及び外部記憶装置には、図３に示すように、コンピュータとして必要な機能を果たすメインプログラムに加えて、整備記録簿作成プログラムが記憶されており、これらプログラムがＣＰＵによって実行されることにより、整備記録簿作成装置１の機能が発揮されることになる。
【００２８】
整備記録簿作成装置１のソフト構成を図３に示す。
整備記録簿作成装置１は、機能面から説明すると、データサーバー１０から各種プログラム及び各種データを読み込んで一時的に記憶しておく記憶部２と、ユーザー操作の入力を受け付けて、複数の管轄エリアの中から、ユーザー操作によって指定された管轄エリアを特定する管轄エリア特定部３と、管轄エリア全てにおいて共通のユーザー操作の入力を受け付けて、点検結果の内容を示す点検結果データ、及び検査結果の内容を示す検査結果データを取得するデータ取得部４と、特定された管轄エリアをキーとして記憶部２に記憶された管轄エリア別出力様式データを参照し、特定された管轄エリアの出力様式に従って、点検結果データ及び検査結果データの内容が記入された整備記録簿の内容を示す整備記録簿データを出力するデータ出力部５と、を構成要素として備えている。
また整備記録簿作成装置１は、データサーバー１０から最新の管轄エリア一覧データ、車検証登録データ及び管轄エリア別出力様式データ等を受信するデータ受信部６と、車検証登録データを参照し、ユーザー操作の入力を受け付けて車検対象となる車両を設定する車両設定部７と、ユーザー操作の入力受付け部８と、を構成要素として備えている。
これらは、ＣＰＵ、ＲＯＭ、ＲＡＭ、ＨＤＤ、通信用インタフェース、及び各種プログラム等によって構成されている。
【００２９】
記憶部２には、図４に示す管轄エリア一覧データ、図５に示す車検証登録データ、図６に示す管轄エリア別出力様式データと、図７Ａ、Ｂに示す共通フォーマットデータと、図８に示す点検結果データと、図９に示す検査結果データと、図１０に示す照合結果データと、図１１Ａ、Ｂに示す整備記録簿データとがそれぞれ一時的に記憶されている。
データ出力部５は、表示画面上に各種データ内容を表示するための画面出力部５ａとしての機能と、各種データ内容を紙媒体として印刷するための紙出力部５ｂとしての機能とを有している。
なお、データサーバー１０についても機能面から説明すると、各種プログラム及び各種情報データを保持して格納しておく格納部１１と、整備記録簿作成装置に向けて最新のプログラム及びデータを発信するデータ発信部１２と、データ受信部１３と、を主な構成要素として備えている。
【００３０】
次に、整備記録簿作成装置１に記憶される管轄エリア一覧データ、車検証登録データ、管轄エリア別出力様式データ、指定整備記録簿の共通フォーマットデータ、点検結果データ、検査結果データ、照合結果データ、整備記録簿データについて図４〜図１１に基づいて詳細に説明する。
なお、図８の点検結果データ及び図９の検査結果データは、特許請求の範囲の点検／検査結果データに相当するものである。
【００３１】
管轄エリア一覧データは、図４に示すように、管轄エリア（都道府県）と、管轄エリア内に所属している整備工場との関係を示すデータテーブルである。
具体的には、管轄エリア一覧データには管轄エリアと、管轄エリアを所管する運輸局（事務局）と、運輸支局（運輸事務所）と、管轄エリア内に属する整備工場とが対応付けられている。
図４の本実施例を見ると、管轄エリア「Ａ県」に対して運輸局「第１運輸局」、運輸支局「第１−１運輸支局」、整備工場「Ａ１整備工場〜Ａ１０整備工場」が入力されている。
【００３２】
車検証登録データは、図５に示すように、顧客から入手した車検証の記載内容を示すデータテーブルであって、ユーザー操作の入力を受け付けて車検証に基づいて設定された項目に対する登録内容が更新されるものである。
具体的には、車検証登録データには顧客情報と、車両情報とが対応付けられている。
顧客情報の項目欄には、顧客氏名、住所等の登録内容が入力される。また、車両情報の項目欄には、主に登録番号、車台番号、車両の種別、用途、自家用・事業用の別、車体の形状、車名等の登録内容が入力される。
図５の本実施例を見ると、車両の種別「普通」、用途「乗用」、自家用・事業用の別「自家用」等が入力されており、例えば、本車検証登録データの内容から自動車の区分が「自家用乗用」であることが判別できる。
【００３３】
管轄エリア別出力様式データは、図６に示すように、整備工場の管轄エリア（都道府県）と、指定整備記録簿について管轄エリア別に設定された出力様式との関係を示すデータテーブルであって、所定の期間毎に最新のデータ内容に更新されるものである。
具体的には、管轄エリア別出力様式データには、管轄エリアと、管轄エリア別に設定された点検結果、検査結果、及び照合結果それぞれの出力様式とが対応付けられている。
点検結果の項目欄には、点検欄、点検色、点検指示記号等の内容が入力される。また、検査結果の項目欄には、検査数値色、制動力 左右差／軸重、前照灯の取付高さ等の内容が入力される。また、照合結果の記入欄には、車両点検時、車両検査時におけるチェック記号の内容が入力される。
図６の本実施例を見ると、管轄エリア「Ａ県」の場合、点検結果について点検欄「記号記入方式」、点検色「レ：赤色、レ以外：黒色」点検指示記号「赤字」等が入力されており、また、検査結果について検査数値色「赤字」、制動力 左右差／軸重「小数点以下２ケタ」、前照灯の取付高さ「小数点以下なし」等が入力されており、また、照合結果について車両点検時「なし」、車両検査時「レ」等が入力されている。
すなわち、管轄エリア別に（例えばＡ県、Ｂ県、Ｃ県別に）点検結果、検査結果、及び照合結果の出力様式が異なっていることが分かる。
【００３４】
共通フォーマットデータは、図７Ａ、図７Ｂに示すように、管轄エリア全てにおいて共通の点検項目、検査項目及び照合項目が記入された指定整備記録簿フォーマットの内容を示すデータテーブルである。
具体的には、共通フォーマットデータには、図７Ａに示す車両の点検欄が上段に設けられ、図７Ｂに示す車両の検査欄及び車両の照合欄が下段に設けられている。
なお、上記以外に車両情報や顧客情報に関する欄が所定位置に設けられている。
【００３５】
図７Ａの本実施例を見ると、車両の点検名称として「エンジン・ルーム点検」や「室内点検」等が入力されており、また、点検名称毎に設定される点検項目として「パワーステアリング ベルトの緩み、損傷」や「パワーステアリング 取付けの緩み」、「点火装置 スパークプラグの状態」等が入力されている。
図７Ｂの本実施例を見ると、車両の検査項目として「制動力の左右差／軸重」や「前照灯の取付高さ」、「前部霧灯」等が入力されており、また、車両の照合項目として「自動車の種別」、「用途」等が入力されている。
【００３６】
点検結果データは、図８に示すように、車両点検において設定された点検項目に対する点検結果を示すデータテーブルであって、管轄エリア全てにおいて共通のユーザー操作の入力を受け付けて、点検結果が更新されるものである。
具体的には、点検結果データには、車両の点検名称と、点検項目と、点検項目に対する点検結果とが対応付けられている。
点検結果の項目欄には、管轄エリア共通の入力様式で点検結果が入力されるものであって、具体的には、良好の場合には記号「レ」が黒色で入力される。そして、交換の場合には記号「×」、調整の場合には記号「Ａ」、分解の場合には記号「〇」、清掃の場合には記号「Ｃ」、修理の場合には記号「△」がそれぞれ黒色で入力される。
図８の実施例を見ると、点検項目「パワーステアリング ベルトの緩み、損傷」に対して良好「レ」が入力され、点検項目「パワーステアリング 取付けの緩み」に対して調整「Ａ」が入力され、点検項目「点火装置 スパークプラグの状態」に対して交換「×」が入力されている。
【００３７】
上記において、ユーザーとなる検査員による点検結果の入力操作の時点では、管轄エリア共通の入力様式によって点検結果が入力されるため、従来と比較して検査員は管轄エリアを特に意識することなく検査結果の入力作業に専念することができる。
また、以下の検査結果の入力作業についても同様である。
【００３８】
検査結果データは、図９に示すように、車両検査において設定された検査項目に対する検査結果を示すデータテーブルであって、同様に管轄エリア全てにおいて共通のユーザー操作の入力を受け付けて、検査結果が更新されるものである。
具体的には、検査結果データには、車両の検査項目と、検査項目に対する点検結果とが対応付けられている。
検査結果の項目欄には、管轄エリア共通の入力様式で検査結果が入力されるものであって、具体的には、検査値を入力する場合には任意の小数点以下桁数までの検査値が黒色で入力され、該当なしの場合には記号「／」が黒色で入力される。
図９の実施例を見ると、検査項目「制動力 左右差／軸重」に対して検査値「０．１３１」が入力され、検査項目「前照灯の取付高さ 右」に対して検査値「５８．０」が入力され、検査項目「前部霧灯」に対して該当なし「／」が入力されている。
【００３９】
照合結果データは、図１０に示すように、車両点検及び車両検査の際に車検証との同一性を照合するための照合項目に対する照合結果を示すデータテーブルであって、管轄エリア共通のユーザー操作の入力を受け付けて、照合結果が更新されるものである。
具体的には、照合結果データには、車両の照合項目と、照合項目に対する照合結果とが対応付けられている。
照合結果の記入欄には、管轄エリア別共通の入力様式で照合結果が入力されるものであって、具体的には、車両点検時において各照合項目に対して照合結果（照合完了）「レ」が入力され、かつ、車両検査時においても各照合項目に対して照合結果「レ」が入力されるパターンとなっている。
図１０の実施例を見ると、車両点検時及び車両検査時の両方において、照合結果「レ」がそれぞれ入力されていることが分かる。
【００４０】
上記において、点検結果、検査結果及び照合結果の入力操作の時点では、管轄エリア共通の入力様式によって全ての結果が入力されるため、従来と比較して、検査員は管轄エリアを全く意識することなく検査結果の入力作業に専念できる。
【００４１】
整備記録簿データは、図１１Ａ、図１１Ｂに示すように、管轄エリア別の出力様式に従って、点検結果データの内容と、検査結果データの内容と、照合結果データの内容とが全て記入された指定整備記録簿の内容を示すデータテーブルである。
具体的には、整備記録簿データには、図１１Ａに示す点検欄が上段に設けられ、図１１Ｂに示す検査欄及び照合欄が下段に設けられており、それぞれ対応付けられている。また車両情報や顧客情報に関する欄が所定位置に設けられている。
【００４２】
図１１Ａ、Ｂの本実施例は、管轄エリア「Ａ県」の指定整備記録簿である。
図１１Ａの点検欄を見ると、車両の点検名称「エンジン・ルーム点検」において点検項目「パワーステアリング ベルトの緩み、損傷」に対して検査結果（良好）「レ」が赤色で出力されている。また点検項目「パワーステアリング 取付けの緩み」に対して検査結果（調整）「Ａ」が黒色で出力され、かつ、点検指示記号「−Ａ」が赤色で出力されている。また点検項目「点火装置 スパークプラグの状態」に対して検査結果（交換）「×」が黒色で出力され、かつ、点検指示記号「−×」が赤色で出力されている。
このように、「Ａ県」独自の点検結果の出力様式として、記号「レ」が赤色で、記号「レ」以外が黒色で出力されていることや、記号「レ」以外の場合には点検指示記号「−Ａ」等が赤色で出力されていることが分かる。
【００４３】
図１１Ｂの検査欄を見ると、車両の検査項目「制動力の左右差／軸重」に対して、小数点以下桁数が２ケタとなるように検査値「０．１３」が赤色で出力されている。また検査項目「前照灯の取付高さ 右」に対して、小数点以下桁数なしとなるように検査値「５８」が赤色で出力されている。また検査項目「前部霧灯」に対して該当なし「／」が赤色で出力されている。
このように、「Ａ県」独自の検査結果の出力様式として、設定された小数点以下桁数までの検査値が出力されていることや、検査値が赤色で出力されていることが分かる。
【００４４】
また図１１Ｂの照合欄を見ると、車両の照合項目「自動車の種別（普通）」、「用途（乗用）」、及び「自家用・事業用の別（自家用）」等それぞれに対して「レ」が赤色で１つ出力されている。
このように、「Ａ県」独自の照合結果（照合完了）の出力様式として、照合完了を示す「レ」が赤色で１つ出力されていることが分かる。
【００４５】
＜整備記録簿作成方法＞
次に、整備記録簿作成装置１で実行される整備記録簿作成プログラムの処理について、図１２に基づいて説明する。
図１２は、本実施形態に係る整備記録簿作成プログラムの処理のうち、コンピュータに相当する整備記録簿作成装置１が、ユーザー操作の入力を受け付けて、複数の管轄エリアの中からユーザー操作によって指定された管轄エリアを特定し、管轄エリア全てにおいて共通のユーザー操作の入力を受け付けて、点検結果、検査結果及び照合結果の内容を示す点検結果データ、検査結果データ及び照合結果データを取得し、特定された管轄エリアをキーとして管轄エリア別出力様式データを参照し、特定された管轄エリアの出力様式に従って、点検／検査結果データの内容が記入された整備記録簿データを出力する処理を実行するフローチャートである。
【００４６】
本実施形態に係る整備記録簿作成プログラムは、記憶部２を備えた整備記録簿作成装置１の機能的な構成要素として、上述した管轄エリア特定部３と、データ取得部４と、データ出力部５（画面出力部５ａ、紙出力部５ｂ）と、データ受信部６と、車両設定部７と、入力受付け部８と、を実現させるために各種プログラムを集約させたユーティリティプログラムであって、整備記録簿作成装置１のＣＰＵがこの整備記録簿作成プログラムを実行する。
【００４７】
図１２に示す整備記録簿作成フローでは、まず、整備記録簿作成装置１のデータ受信部６が、所定のユーザー操作をキーとして、データサーバー１０から管轄エリア一覧データを受信するステップ０１（ＳＴ０１）から始まる。
管轄エリア一覧データは、図４に示すように、管轄エリアと、管轄エリア内に所属している整備工場との関係を示すデータであって、当該データ受信後に記憶部２に記憶される。
【００４８】
次に、ステップ０２で、管轄エリア特定部３が、ユーザー操作の入力を受け付けて、複数の管轄エリアの中からユーザー操作によって指定された管轄エリアを特定する。
詳しく言うと、ステップ０１のユーザー操作をキーとして、画面出力部５ａが整備記録簿作成装置１の表示画面上に管轄エリア一覧データの内容を出力表示する。そして、管轄エリア特定部３が、ユーザーの選択操作の入力を受け付けて、表示画面上に表示された複数の管轄エリアの中から指定された管轄エリアを特定する。
例えば、Ａ１整備工場の検査員が、整備記録簿作成装置１の表示画面上で管轄エリア一覧データの内容を確認しながら、管轄エリア「Ａ県」を容易に選択できる。
【００４９】
次に、ステップ０３で、データ受信部６が、所定のユーザー操作をキーとして、データサーバー１０から車検証登録データを受信する。
車検証登録データは、図５に示すように、顧客から入手した車検証の記載内容を示すデータであって、当該データ受信後に記憶部２に記憶される。
【００５０】
次に、ステップ０４で、車両設定部７が、ユーザー操作の入力を受け付けて、複数の車両の中からユーザー操作によって指定された車検対象となる車両を設定する。
詳しく言うと、画面出力部５ａが表示画面上に車検証登録データの内容を出力表示する。そして、車両設定部７が、ユーザーの確認操作の入力を受け付けて、表示画面上に表示された車検対象となる車両を設定する。
【００５１】
次に、ステップ０５で、データ取得部４が、管轄エリア全てにおいて共通のユーザー操作の入力を受け付けて、車両点検及び車両検査の際に車検証との同一性を照合するための照合項目に対する照合結果を示す照合結果データを取得する。
照合結果データは、図１０に示すように、車両の照合項目と、照合項目に対する照合結果とが対応付けられたデータであって、当該データ取得後に記憶部２に記憶される。
詳しく言うと、所定のユーザー操作をキーとして、画面出力部５ａが表示画面上に車検証との同一性を照合するための照合項目の内容を出力表示する。そして、データ取得部４が、管轄エリア共通のユーザー操作の入力を受け付けて、表示画面上に表示された照合項目に対する照合結果が記入された照合結果データを取得する。
例えば、Ａ１整備工場の検査員が、表示画面上で各照合項目の内容を確認しながら、管轄エリア共通のユーザー操作として、各照合項目に対して照合結果「レ」を入力することで、照合結果データが作成される。
【００５２】
次に、ステップ０６で、データ取得部４が、管轄エリア全てにおいて共通のユーザー操作の入力を受け付けて、点検結果及び検査結果の内容を示す点検／検査結果データを取得する。
点検結果データは、図８に示すように、車両の点検項目と、点検項目に対する点検結果とが対応付けられたデータであって、当該データ取得後に記憶部２に記憶される。
詳しく言うと、所定のユーザー操作をキーとして、画面出力部５ａが表示画面上に各点検項目の内容を出力表示する。そして、データ取得部４が、管轄エリア共通のユーザー操作の入力を受け付けて、表示画面上に表示された点検項目に対して点検結果が記入された点検結果データを取得する。
例えば、Ａ１整備工場の検査員が、表示画面上で各点検項目の内容を確認しながら、管轄エリア共通のユーザー操作として、各点検項目に対して良好「レ」や交換「×」、調整「Ａ」等の記号を入力することで、点検結果データが作成される。
【００５３】
検査結果データは、図９に示すように、検査項目と、検査項目に対する検査結果とが対応付けられたデータであって、当該データ取得後に記憶部２に記憶される。
詳しく言うと、所定のユーザー操作をキーとして、画面出力部５ａが表示画面上に各検査項目の内容を出力表示する。そして、データ取得部４が、管轄エリア共通のユーザー操作の入力を受け付けて、表示画面上に表示された検査項目に対して検査結果が記入された検査結果データを取得する。
例えば、Ａ１整備工場の検査員が、表示画面上で各検査項目の内容を確認しながら、管轄エリア共通のユーザー操作として、各検査項目に対して具体的な検査値や、該当なし「／」の記号を入力することで、検査結果データが作成される。
上記のように、管轄エリア共通の入力操作（入力様式）によって照合結果、点検結果及び検査結果を入力することができるため、検査員が管轄エリアを全く意識することなく、非常に効率良くこれら結果を入力することができる。
【００５４】
次に、ステップ０７で、データ受信部６が、所定のユーザー操作をキーとして、データサーバー１０から管轄エリア別出力様式データを受信する。
管轄エリア別出力様式データは、図６に示すように、管轄エリアと、指定整備記録簿について管轄エリア別に設定された記入様式との関係を示すデータであって、当該データ受信後に記憶部２に記憶される。
【００５５】
次に、ステップ０８で、データ出力部５（紙出力部５ｂ）が、特定された管轄エリアをキーとして管轄エリア別出力様式データを参照し、特定された管轄エリアの出力様式に従って、照合結果データ、点検／検査結果データの内容が記入された整備記録簿の内容を示す整備記録簿データを出力（印刷）する。
整備記録簿データは、図１１Ａ、Ｂに示すように、管轄エリア別の出力様式に従って、点検結果データと、検査結果データと、照合結果データとの内容が全て記入された指定整備記録簿の内容を示すデータであって、当該データ取得後に記憶部２に記憶される。
例えば、Ａ１整備工場の検査員が指定整備記録簿を作成する場合、管轄エリアとなるＡ県の出力様式に従って指定整備記録簿が出力される。
具体的には、図１１Ａ、Ｂに示すように、照合項目「自動車の種別（普通）」に対して照合結果「レ」が赤色で１つ出力されている。また、点検項目「パワーステアリング 取付けの緩み」に対して検査結果（調整）「Ａ」が黒色で出力され、かつ、点検指示記号「−Ａ」が赤色で出力されている。また、検査項目「制動力の左右差／軸重」に対して、小数点以下桁数が２ケタ（３ケタ目切り上げ）となるように検査値「０．１３」が赤色で出力されている。
【００５６】
上記ステップ０１からステップ０８を経て図１２のプロセスを終了する。
上記の整備記録簿作成プログラムの処理フローにより、整備工場の管轄エリア毎に異なった記入様式が存在する中で、検査員が整備記録簿を効率良く作成できる。
また、車両の点検結果、検査結果及び照合結果が記入されて完成となる整備記録簿を作成する際に、検査員が手書きする必要が全くなくなる。
【００５７】
＜整備記録簿作成方法の第２実施形態＞
次に、第２実施形態の整備記録簿作成装置について図１３〜図１５に基づいて説明する。
第２実施形態では、記憶部２が、新たに図１３に示す管轄エリア別入力様式データと、図１０ではなく図１４に示す照合結果データとを記憶している点が異なっている。
また、整備記録簿作成プログラムにおいて、第１実施形態における図１２のステップ５の処理の代わりとして、図１５のステップ０５−１〜０５−２の処理が実行される点が異なっている。
【００５８】
管轄エリア別入力様式データは、図１３に示すように、整備工場の管轄エリアと、指定整備記録簿の照合結果のみについて管轄エリア別に設定された入力様式との関係を示すデータテーブルである。
具体的には、管轄エリアと、管轄エリア別に設定された照合結果（チェック記号等）の入力様式とが対応付けられている。
図１３の本実施例を見ると、管轄エリア「Ａ県」の場合、照合結果について車両点検時「不要」、車両検査時「レ」が記入されている一方で、管轄エリア「Ｂ県」の場合、車両点検時「レ」、車両検査時「レ」が記入されている。
すなわち、管轄エリア別に（例えばＡ県、Ｂ県、Ｃ県別に）照合結果の入力様式が異なっていることが分かる。
【００５９】
照合結果データは、図１４に示すように、車両点検又は車両検査の際に車検証との同一性を照合するための照合項目に対する照合結果を示すデータテーブルであって、管轄エリア別に設定されたユーザー操作の入力を受け付けて、照合結果が更新されるものである。
具体的には、照合結果データには車両の照合項目と、照合結果とが対応付けられている。
照合結果の記入欄には、管轄エリア別に設定された入力様式で照合結果が入力されるものであって、具体的には、（１）車両検査時においてのみ、照合結果「レ」が入力されるパターンと、（２）車両点検時において各照合項目に対して照合結果（照合完了）「レ」が入力され、かつ、車両検査時において各照合項目に対して照合結果「レ」が入力されるパターンと、（３）どちらの検査時においても照合結果「レ」の入力が不要であるパターンとがある。
図１４の実施例を見ると、上記（１）車両検査時においてのみ、照合結果「レ」が入力されるパターンであることが分かる。そして、各照合項目に対して照合結果「レ」が入力されていることが分かる。
上記において、検査員は実務上は、国土交通省が定めた法規制に基づいて車両点検時及び車両検査時の両方において必ず照合確認を実施することになっている。
その上で、整備記録簿作成装置１においては、ユーザーとなる検査員による照合確認の入力操作の負担を軽減するために、管轄エリア別の入力様式に対応させて上記入力パターン（１）〜（３）のいずれかを設定している。
【００６０】
次に、整備記録簿作成プログラムの処理について、図１５に基づいてステップ０５−１〜０５−２についてのみ説明する。
図１５のステップ０５−１では、データ受信部６が、所定のユーザー操作をキーとして、データサーバー１０から管轄エリア別入力様式データを受信する。
管轄エリア別入力様式データは、図１３に示すように、管轄エリアと、指定整備記録簿の照合結果についてのみ管轄エリア別に設定された記入様式との関係を示すデータであって、当該データ受信後に記憶部２に記憶される。
【００６１】
次に、ステップ０５−２では、管轄エリア別に設定されたユーザー操作の入力を受け付けて、車両点検又は車両検査の際に車検証との同一性を照合するための照合項目に対する照合結果を示す照合結果データを取得する。
照合結果データは、図１４に示すように、車両の照合項目と、照合項目に対する照合結果とが対応付けられたデータであって、当該データ取得後に記憶部２に記憶され、さらにデータサーバー１０に伝送されて保管される。
詳しく言うと、所定のユーザー操作をキーとして、画面出力部５ａが表示画面上に車検証との同一性を照合するための照合項目の内容を出力表示する。そして、データ取得部４が、管轄エリア別に設定されたユーザーの照合操作の入力を受け付けて、表示画面上に表示された照合項目に対する照合結果が記入された照合結果データを取得する。
例えば、Ａ１整備工場の検査員が、表示画面上で各照合項目の内容を確認しながら、各照合項目に対して照合結果「レ」を入力することで、照合結果データが作成される。
このとき、照合結果データは、図１４に示すように、Ａ県で設定された入力様式に従って、車両検査時においてのみ照合結果「レ」が入力されたパターンで作成される。
【００６２】
上記構成であれば、第１実施形態における発明の効果に加えて、指定整備記録簿のうち車両照合の記入については、ユーザーとなる検査員による照合確認の入力操作の負担を軽減することができる。
【００６３】
＜その他の実施形態＞
上記実施形態において、整備記録簿作成装置１は、「整備記録簿」として運輸局へ提出するための指定整備記録簿を作成するが、指定整備記録簿に特に限定されることなく変更可能であって、例えば定期点検時に使用するための定期点検整備記録簿等であっても良い。
【００６４】
上記実施形態において、整備記録簿作成装置１は、携帯情報端末であるが、特に限定されることなく変更可能であって、比較的大型な情報通信端末であっても良く、当該情報通信端末が、データサーバー１０の機能を兼ね備えていても良い。
【００６５】
上記実施形態において、整備記録簿作成装置１は、管轄エリア特定部３と、データ取得部４と、データ出力部５とを全て備えているが、特に限定されることなく変更可能である。
例えば、データサーバー１０が管轄エリア特定部３を備えており、整備記録簿作成装置１がデータ取得部４と、データ出力部５とを備えたシステム構成としても良い。
その場合、整備記録簿作成装置１が、データサーバー１０から、特定された管轄エリアの情報を受信して、特定された管轄エリアの出力様式に従って整備記録簿データを出力することが望ましい。
【００６６】
上記実施形態において、データ出力部５は、指定整備記録簿の内容を示す整備記録簿データを紙媒体で出力するが、特に限定されることなく変更可能であって、例えば、整備記録簿作成装置１の表示画面上において整備記録簿データを出力表示しても良いし、また、当該整備記録簿データを外部のサーバーに向けて出力しても良い。
【００６７】
本実施形態では、主として本発明に係る整備記録簿作成装置、整備記録簿作成システム、整備記録簿作成方法及び整備記録簿作成プログラムに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００６８】
Ｓ  整備記録簿作成システム
１  整備記録簿作成装置
２  記憶部
３  管轄エリア特定部
４  データ取得部
５  データ出力部
５ａ  画面出力部
５ｂ  紙出力部
６  データ受信部
７  車両設定部
８  入力受付け部
１０  データサーバー
１１  格納部
１２  データ発信部
１３  データ受信部
【要約】
【課題】整備記録簿を作成する事業所の管轄エリア毎に異なった記入様式が存在する中で、整備事業者（検査員）が整備記録簿を効率良く作成する。
【解決手段】整備記録簿作成装置１は、整備事業者の管轄エリアと、整備記録簿について管轄エリア別に設定された出力様式との関係を示す管轄エリア別出力様式データを記憶する記憶部と、ユーザー操作の入力を受け付けて、複数の管轄エリアの中から指定された管轄エリアを特定する管轄エリア特定部と、管轄エリア共通のユーザー操作の入力を受け付けて、点検／検査結果データを取得するデータ取得部と、特定された管轄エリアをキーとして管轄エリア別出力様式データを参照し、特定された管轄エリアの出力様式に従って、点検／検査結果データの内容が記入された整備記録簿データを出力するデータ出力部と、を備えている。
【選択図】図１２【図１】
0005940232.tif 000002
【図２】
0005940232.tif 000003
【図３】
0005940232.tif 000004
【図４】
0005940232.tif 000005
【図５】
0005940232.tif 000006
【図６】
0005940232.tif 000007
【図７Ａ】
0005940232.tif 000008
【図７Ｂ】
0005940232.tif 000009
【図８】
0005940232.tif 000010
【図９】
0005940232.tif 000011
【図１０】
0005940232.tif 000012
【図１１Ａ】
0005940232.tif 000013
【図１１Ｂ】
0005940232.tif 000014
【図１２】
0005940232.tif 000015
【図１３】
0005940232.tif 000016
【図１４】
0005940232.tif 000017
【図１５】
0005940232.tif 000018